(57)【要約】【課題】簡単に変形させることでリュックサックとして使用でき、使用中に持ち手や背負いベルトが荷物の出し入れの邪魔になることなく、更に一方の紐を使用しているとき他の紐が邪魔にならず、見栄えが良いものとする。【解決手段】第１帯状部４０は、折り返し部４１を開口部３２から突出し、折り返し部から延びる両側延長部４２、４２が内側筒状部３３の開口部側の端部から内側本体部３０を貫通して、外側本体部２０と内側本体部３０の間を底部２１に向けて延設されて底部と内側底部の間に到り、第２帯状部５０は、折り返し部５１を開口部から突出し、折り返し部から延びる両側延長部５２、５２が内側筒状部及び筒状部を貫通して、外側本体部の外側を底部に向けて延設されて底部の近傍において外側本体部を貫通して底部と内側底部の間に到り、第１帯状部の両側延長部とそれぞれ連結され第１帯状部の両側延長部とは延設された方向に移動自在に配置されている。【選択図】図４
2018094140.tif 000002
【特許請求の範囲】
【請求項１】
底部及び前記底部の周縁に連結され前記底部に対向する位置に開口部を形成する筒状部を備える外側本体部、前記外側本体部の内側に配置され、前記外側本体部の前記底部に隣接して配置される内側底部及び前記内側底部の周縁に連結され、前記外側本体部の前記開口部を共通として前記開口部の周縁が前記筒状部の前記開口部の周縁と接合された内側筒状部を備える内側本体部、からなるバッグ本体部と、
前記開口部の周縁部における前記内側本体部の対向する２つの箇所にそれぞれ配置され、前記開口部から突出した折り返し部を備える第１帯状部及び第２帯状部と、を備えるトートバッグであって、
前記第１帯状部は、前記折り返し部から延びる両側延長部が前記内側筒状部の開口部側の端部から前記内側本体部を貫通して、前記外側本体部と前記内側本体部の間を前記底部に向けて延設されて前記底部と前記内側底部の間に到り、
前記第２帯状部は、前記折り返し部から延びる両側延長部が前記内側筒状部及び前記筒状部を貫通して、前記外側本体部の外側を前記底部に向けて延設されて前記底部の近傍において前記外側本体部を貫通して前記底部と前記内側底部の間に到り、前記第１帯状部の両側延長部とそれぞれ連結されて、前記第１帯状部及び前記第２帯状部は延設された方向に沿って移動自在に配置されており、
前記外側本体部の外側に延設された前記第２帯状部の両側延長部を前記バッグ本体部から離間する方向に引いたとき、前記第２帯状部を背負いベルトとなるよう前記外側本体部から離間可能とした、ことを特徴とするトートバッグ。
【請求項２】
前記第２帯状部における前記外側本体部の外側に延設された両側延長部に配置され、弾性部材で形成されたパッド部材を備えることを特徴とする請求項１に記載のトートバッグ。
【請求項３】
連結された状態での前記第１帯状部及び前記第２帯状部の長さは、前記第１帯状部及び前記第２帯状部の前記折り返し部を引き出した状態において、前記第２帯状部における前記外側本体部の外側に配置された両側延長部が前記外側本体部に近接する寸法であることを特徴とする請求項１又は請求項２に記載のトートバッグ。
【請求項４】
連結された状態での前記第１帯状部及び前記第２帯状部の長さは、前記第２帯状部における前記バッグ本体部の外側に配置された両側延長部を引き出したとき、前記折り返し部が前記内側本体部に近接する寸法であることを特徴とする請求項１から請求項３までの何れか一項に記載のトートバッグ。
【請求項５】
前記バッグ本体部は布地を縫製加工して形成され、前記内側本体部は前記外側本体部より柔軟な材質で構成されていることを特徴とする請求項１から請求項４までの何れか一項に記載のトートバッグ。
【発明の詳細な説明】
【技術分野】
【０００１】
本発明は、背負うことができるトートバッグに関する。
【背景技術】
【０００２】
従来、手に提げて使用するバッグとしてトートバッグがあり、また、背負って使用するバッグとしてリュックサックがある。トートバッグには、持ち手が、リュックサックには背負いベルトが配置されており、それぞれ構成が異なる。
【０００３】
一つのバッグをトートバッグのように手に提げたり、リュックサックのように背負ったりできると、用途により使い分けができ便利である。このため、トートバッグについて様々な工夫がなされてきた。
【０００４】
特許文献１には、買物袋の上部の左右に背負い帯を通し、先端を底部又は下部に固定しリュックサックとして使用できるものが記載されている。
【０００５】
また、特許文献２には、バッグ本体部の頂部に設けられた荷物出し入れ用の開口部を開閉するファスナーと、バッグ本体部の上端部で前記開口部に沿って配設された一対の持ち手
と、前記ファスナーの両端に配設された一対の係合手段と、バッグ本体部の背面に取り付けられた左右一対の背負いベルトと、バッグ本体部の左右に取り付けられた係合手段とを備えたトートバッグが記載されている。
【先行技術文献】
【特許文献】
【０００６】
【特許文献１】実登３０５４９１８号公報
【特許文献２】実登３０３７００８号公報
【発明の概要】
【発明が解決しようとする課題】
【０００７】
しかし、従来のバッグは、トートバッグとして使用するときや、リュックサックとして使用するとき利便性に劣る他、見栄え良くないという問題がある。
【０００８】
即ち、特許文献１に記載のものは、トートバッグやリュックサックとして使用するとき持ち手がバッグ開口部を横切って配置され、荷物の出し入れに支障を生じる。
【０００９】
また、特許文献２に記載のものは、持ち手及び背負いベルトがそれぞれ独立して設けられており、一つの紐を使用しているとき他の紐が邪魔になり、また使用していない持ち手や背負いベルトがぶら下がり見栄えが良くない、という問題がある。
【００１０】
本発明は上述した課題に鑑みてなされたものであり、簡単に変形させることでリュックサックとして使用でき、使用中に持ち手や背負いベルトが荷物の出し入れの邪魔になることなく、更に持ち手や背負いベルトを使用しているとき他方が邪魔にならず、見栄えが良いトートバッグを提供することを目的とする。
【課題を解決するための手段】
【００１１】
前記課題を解決する請求項１に記載の発明は、底部及び前記底部の周縁に連結され前記底部に対向する位置に開口部を形成する筒状部を備える外側本体部と、前記外側本体部の内側に配置され、前記外側本体部の前記底部に隣接して配置される内側底部及び前記内側底部の周縁に連結され、前記外側本体部の前記開口部を共通として前記開口部の周縁が前記筒状部の前記開口部の周縁と接合された内側筒状部を備える内側本体部と、前記開口部の周縁部における前記内側本体部の対向する２つの箇所にそれぞれ配置され、前記開口部から突出した折り返し部を備える第１帯状部及び第２帯状部と、を備えるトートバッグであって、前記第１帯状部は、前記折り返し部から延びる両側延長部が前記内側筒状部の開口部側の端部から前記内側本体部を貫通して、前記外側本体部と前記内側本体部の間を前記底部に向けて延設されて前記底部と前記内側底部の間に到り、前記第２帯状部は、前記折り返し部から延びる両側延長部が前記内側筒状部及び前記筒状部を貫通して、前記外側本体部の外側を前記底部に向けて延設されて前記底部の近傍において前記外側本体部を貫通して前記底部と前記内側底部の間に到り、前記第１帯状部の両側延長部とそれぞれ連結されて、前記第１帯状部及び前記第２帯状部は延設された方向に沿って移動自在に配置されており、前記外側本体部の外側に延設された前記第２帯状部の両側延長部を前記外側本体部から離間する方向に引いたとき、前記第２帯状部を背負いベルトとなるよう前記外側本体部から離間可能とした、ことを特徴とする。
【００１２】
本発明によれば、第１帯状部は、折り返し部を開口部から突出し、折り返し部から延びる両側延長部が内側筒状部の開口部側の端部から内側本体部を貫通して、外側本体部と内側本体部の間を底部に向けて延設されて底部と内側底部の間に到り、また、第２帯状部は、折り返し部を開口部から突出し、折り返し部から延びる両側延長部が内側筒状部及び筒状部を貫通して、外側本体部の外側を底部に向けて延設されて底部の近傍において外側本体部を貫通して底部と内側底部の間に到り、第１帯状部の両側延長部とそれぞれ連結され第１帯状部の両側延長部とは延設された方向に移動自在に配置されている。そして、外側本体部の外側に延設された第２帯状部の両側延長部を外側本体部から離間する方向に引いたとき、第２帯状部を背負いベルトとなるよう外側本体部から離間可能である。
【００１３】
よって、トートバッグを手で持つとき、第１帯状部及び第２帯状部の２つの折り返し部を内側本体部の開口部周縁から突出された状態とすることで、使用者は第１帯状部及び第２帯状部の折り返し部を持ち手として使用できる他、トートバッグを背負うときには、第２帯状部のうち外側本体部の外側に延設されている部分を外側に引き出すと第１帯状部及び第２帯状部が延設方向に移動して当該部分が外側本体部から離れ、背負いベルトとなり、これら変更を簡単に行うことができ、使用していない持ち手は背負いベルトが垂れ下がらす見栄えが良い。また、持ち手の使用時、及び背負いベルトの使用時に使用していない持ち手や背負いベルトが邪魔にならない。更に、第１帯状部及び第２帯状部は開口部を横切ることがないので、荷物の出し入れが容易である。
【００１４】
同じく請求項２に記載の発明は、前記第２帯状部における前記外側本体部の外側に延設された両側延長部に配置され、弾性部材で形成されたパッド部材を備えることを特徴とする。
本発明によれば、第２帯状部における外側本体部の外側に延設された両側延長部部分には、弾性部材で形成されたパッド部材が配置されている。
よって、トートバッグを背負ったとき、背負いベルトによる肩への負担がパッド部材で軽減される。
【００１５】
同じく請求項３に記載の発明は、連結された状態での前記第１帯状部及び前記第２帯状部の長さは、前記第１帯状部及び前記第２帯状部の前記折り返し部を引き出した状態において、前記第２帯状部における前記外側本体部の外側に配置された両側延長部が前記外側本体部に近接する寸法であることを特徴とする。
本発明によれば、第１帯状部及び第２帯状部の折り返し部を引き出した状態において、第２帯状部における外側本体部の外側に配置された両側延長部が外側本体部に近接する。
よって、トートバッグの持ち手を持つ状態において、背負いベルトとして使用される第２帯状部が外側本体部に近接して配置され、邪魔にならず見栄えが良い。
【００１６】
同じく請求項４に記載の発明は、連結された状態での前記第１帯状部及び前記第２帯状部の長さは、前記第２帯状部における前記外側本体部の外側に配置された両側延長部を引き出したとき、前記折り返し部が前記内側本体部に近接する寸法であることを特徴とする。
本発明によれば、第２帯状部における外側本体部の外側に配置された両側延長部を引き出し、背負いベルトとしたとき、折り返し部が内側本体部に近接する。
よって、第２帯状部における外側本体部の外側に配置された両側延長部を背負いベルトとして使用するとき、伸びて長すぎる状態にならず、トートバッグを良好に背負うことができる他、折り返し部が内側本体部に近接して邪魔にならず見栄えが良い。
【００１７】
同じく請求項５に記載の発明は、前記外側本体部及び前記内側本体部は布地を縫製加工して形成され、前記内側本体部は前記外側本体部より柔軟な材質で構成されていることを特徴とする。
本発明によれば、外側本体部及び内側本体部は布地で縫製加工することにより製造され、内側本体部は外側本体部より柔軟な材質で形成される。
よって、トートバッグは全体として柔軟性を備えるのでトートバッグを背負ったときにおける背中に負担を掛けることが少なくなる他、内側本体部は柔軟な材質であるので収納物を傷付けることない。
【発明の効果】
【００１８】
本発明に係るトートバッグによれば、簡単に変形させることでリュックサックとして使用でき、使用中に持ち手や背負いベルトが荷物の出し入れの邪魔になることなく、更に一方の紐を使用しているとき他の紐が邪魔にならず、見栄えが良いものとできる。
【００１９】
即ち、請求項１に記載のトートバッグによれば、第１帯状部は、折り返し部を開口部から突出し、折り返し部から延びる両側延長部が内側筒状部の開口部側の端部から内側本体部を貫通して、外側本体部と内側本体部の間を底部に向けて延設されて底部と内側底部の間に到り、また、第２帯状部は、折り返し部を開口部から突出し、折り返し部から延びる両側延長部が内側筒状部及び筒状部を貫通して、外側本体部の外側を底部に向けて延設されて底部の近傍において外側本体部を貫通して底部と内側底部の間に到り、第１帯状部の両側延長部とそれぞれ連結され第１帯状部の両側延長部とは延設された方向に移動自在に配置されている。そして、外側本体部の外側に延設された第２帯状部の両側延長部を外側本体部から離間する方向に引いたとき、第２帯状部を背負いベルトとなるよう外側本体部から離間可能である。
【００２０】
よって、トートバッグを手で持つとき、第１帯状部及び第２帯状部の２つの折り返し部を内側本体部の開口部周縁から突出された状態とすることで、使用者は第１帯状部及び第２帯状部の折り返し部を持ち手として使用できる他、トートバッグを背負うときには、第２帯状部のうち外側本体部の外側に延設されている部分を外側に引き出すと第１帯状部及び第２帯状部が延設方向に移動して当該部分が外側本体部から離れ、背負いベルトとなり、これら変更を簡単に行うことができ、使用していない持ち手は背負いベルトが垂れ下がらす見栄えが良い。また、持ち手の使用時、及び背負いベルトの使用時に使用していない持ち手や背負いベルトが邪魔にならない。更に、第１帯状部及び第２帯状部は開口部を横切ることがないので、荷物の出し入れが容易である。
【００２１】
また、請求項２に記載のトートバッグによれば、第２帯状部における外側本体部の外側に延設された両側延長部部分には、弾性部材で形成されたパッド部材が配置されているので、トートバッグを背負ったとき、背負いベルトによる肩への負担がパッド部材で軽減される。
【００２２】
また、請求項３に記載のトートバッグによれば、第１帯状部及び第２帯状部の折り返し部を引き出した状態において、第２帯状部における外側本体部の外側に配置された両側延長部が外側本体部に近接するので、トートバッグを持ち手で持つ状態において、背負いベルトとして使用される第２帯状部が外側本体部に近接して配置され、邪魔にならず見栄えが良い。
【００２３】
また、請求項４に記載のトートバッグによれば、第２帯状部における外側本体部の外側に配置された両側延長部を引き出し、背負いベルトとしたとき、折り返し部が内側本体部に近接するので、第２帯状部における外側本体部の外側に配置された両側延長部を背負いベルトとして使用するとき、伸びて長すぎる状態にならず、トートバッグを良好に背負うことができる他、折り返し部が内側本体部に近接して邪魔にならず見栄えが良い。
【００２４】
そして、請求項５に記載のトートバッグによれば、外側本体部及び内側本体部は布地で縫製加工することにより製造され、内側本体部は外側本体部より柔軟な材質で形成されるので、トートバッグは全体として柔軟性を備えるのでトートバッグを背負ったときにおける背中に負担を掛けることが少なくなる他、内側本体部は柔軟な材質であるので収納物を傷付けることない。
【図面の簡単な説明】
【００２５】
【図１】本発明の実施形態に係るトートバッグの斜視模式図である。
【図２】同トートバッグの他の方向からの斜視模式図である。
【図３】同トートバッグをリュックサックとして使用する場合の図２と同じ方向からの斜視模式図である。
【図４】手持ちするときの同トートバッグにおける帯状部材の配置状態を示すものであり、（ａ）は斜視模式図、（ｂ）は（ａ）中のＢ−Ｂ線に相当する断面模式図である。
【図５】背負うときの同トートバッグにおける帯状部材の配置状態を示すものであり、（ａ）は斜視模式図、（ｂ）は（ａ）中のＣ−Ｃ線に相当する断面模式図である。
【発明を実施するための形態】
【００２６】
本発明を実施するための形態に係るトートバッグについて説明する。図１は本発明の実施形態に係るトートバッグの斜視模式図、図２は同トートバッグの他の方向からの斜視模式図、図３は同トートバッグをリュックサックとして使用する場合の図２と同じ方向からの斜視模式図である。
【００２７】
トートバッグ１は、バッグ本体部１０と、帯状部材７０と、パッド部材５５、５５を備えて構成されている。バッグ本体部１０は、外側本体部２０と、外側本体部２０の内側に配置される内側本体部３０とからなる。外側本体部２０及び内側本体部３０は布地を縫製して製造される。外側本体部２０は、底部２１と筒状部２３とを備える。筒状部２３は、底部２１の周縁に縫製されて連結され、底部２１に対向する位置に開口部２２を形成する。
【００２８】
また、内側本体部３０は、内側底部３１と、内側筒状部３３とを備える。内側底部３１は、外側本体部２０の底部２１の内側に隣接して配置される。内側筒状部３３は、内側底部３１の周縁部に縫製されて連結され、内側底部３１に対向して開口部３２を形成する。本実施形態では、外側本体部２０の開口部２２の周縁が内側に折り返されて内側筒状部３３の開口部３２の周縁と縫製して接合され。即ち、筒状部２３と内側筒状部３３とは開口部２２及び開口部３２を共通として、開口部２２、３２の周囲で縫製加工される。図４及び図５中縫製箇所を符号６６で示した。
【００２９】
また、外側本体部２０と内側本体部３０は内側本体部３０が内部で変形しないように必要に応じて底部２１、内側底部３１、筒状部２３、内側筒状部３３において縫製して接合される。ただし、後述する第１帯状部４０及び第２帯状部５０の延設方向の移動を妨げないものとする。外側本体部２０及び内側本体部３０は例えば合成繊維例えばナイロン生地で作成される。また、内側本体部３０は外側本体部２０より柔軟な材質として薄手のものを使用し、色違いとすることができる。トートバッグ１は、全体として柔軟性を備えるのでトートバッグ１を背負ったときにおける背中に負担を掛けることが少なくなる他、内側本体部３０が柔軟な材質であるので収納物を傷付けることない。
【００３０】
帯状部材７０は、持ち手と背負いベルトとして機能する。帯状部材７０は環状であり、ナイロンの厚手の生地で構成されている。以下において、帯状部材７０がバッグ本体部１０の一方側（図１中において手前側）に配置される第１帯状部４０と、他方側（図２中において手前側）に配置される第２帯状部５０とに分けて説明するが、帯状部材７０は、２つの部分に分離するものではない。第１帯状部４０と第２帯状部５０はそれぞれ折り返し部４１、５１と、この折り返し部４１、５１から両側に延びる両側延長部４２、５２を備える。第１帯状部４０及び第２帯状部５０は、両側延長部４２及び両側延長部５２において連結されている。
【００３１】
トートバッグ１を手持ちとするときは、図１及び図２に示すように、開口部３２の開口６１、６２から第１帯状部４０及び第２帯状部５０の折り返し部４１、５１を突出させて持ち手とする。一方、トートバッグ１を背負うときは、図３に示すように、開口６２、６３第２帯状部５０の両側延長部５２を引き出して背負いベルトとする。開口６１、６２、６３の周縁には、布地保護用の環状金具を配置することができる。
【００３２】
本実施形態に係るトートバッグ１では、両側延長部５２、５２のうち背負いベルトとして使用される部分には、パッド部材５５、５５を配置している。パッド部材５５は、スポンジ等の弾性部材を被覆して形成されている。これより、トートバッグ１を背負ったとき、背負いベルトによる肩への負担が軽減される。なお、このパッド部材５５を外側本体部２０の色と異なる色とし、この外側本体部２０と同じ色の布地を外側本体部２０の外周に外周帯布２５を配置すると、トートバッグ１を手持ちで使用するときパッド部材５５が目立たなくできる。図１中に外周帯布２５を二点鎖線で示した。
【００３３】
以下、帯状部材７０のバッグ本体部１０における配置状態について説明する。図４は手持ちするときの同トートバッグにおける帯状部材の配置状態を示すものであり、（ａ）は斜視模式図、（ｂ）は（ａ）中のＢ−Ｂ線に相当する断面模式図、、図５は背負うときの同トートバッグにおける帯状部材の配置状態を示すものであり、（ａ）は斜視模式図、（ｂ）は（ａ）中のＣ−Ｃ線に相当する断面模式図である。
【００３４】
帯状部材７０の第１帯状部４０は、折り返し部４１から延びる両側延長部４２、４２がバッグ本体部１０における内側筒状部３３の開口部３２側の端部から内側本体部３０の開口６１を貫通して、外側本体部２０と内側本体部３０の間を底部２１に向けて延設される。そして、第１帯状部４０の先端部４３が底部２１と内側底部３１の間に到る。
【００３５】
また、帯状部材７０の第２帯状部５０は、折り返し部５１から延びる両側延長部５２、５２が内側本体部３０の内側筒状部３３及び外側本体部２０の筒状部２３に形成された開口６２、６２を貫通して、外側本体部２０の外側を底部２１に向けて延設される。そして、底部２１の近傍において外側本体部２０の開口６３、６３を貫通して先端部５３が底部２１と内側底部３１の間に到る。
【００３６】
本実施形態では、両側延長部５２、５２の先端部５３、５３が第１帯状部４０の両側延長部４２、４２の先端部４３、４３とそれぞれ連結され、全体として帯状部材７０を構成している。また、帯状部材７０は、延設された方向に沿って外側本体部２０と内側本体部３０の間及び内側本体部３０の外側を移動自在に配置されている。
【００３７】
本実施形態に係るトートバッグ１では、図５に示す手持ち状態から、図６に示す背負い可能な状態にするには、外側本体部２０の外側に延設された第２帯状部５０の両側延長部５２、５２を外側本体部２０から離間する方向に引く。すると、第２帯状部５０が背負いベルトとなるよう外側本体部２０から離間する。これより、トートバッグ１の両側延長部５２を背負いベルトとして背負うことができる。このとき、第１帯状部４０の折り返し部４１及び第２帯状部５０の折り返し部５１は、内側本体部３０の開口部３２付近に近接して開口部２２、３２を横切ることがなく、荷室への荷物の出し入れを妨げないし、見栄えが良い。
【００３８】
一方トートバッグ１を手持ち状態に戻すには、第１帯状部４０の折り返し部４１及び第２帯状部５０の折り返し部５１を共に引き出す。これにより、トートバッグを持ち手で持つ状態において、背負いベルトとして使用される第２帯状部５０が外側本体部２０に近接して配置され、邪魔にならず見栄えが良い。
【００３９】
ここで、帯状部材７０の長さは、以下のようにする。即ち、第１帯状部４０及び第２帯状部５０の折り返し部４１、５１を引き出した状態において、第２帯状部５０における外側本体部２０の外側に配置された両側延長部５２、５２が外側本体部２０に近接し、かつ、第２帯状部５０における外側本体部２０の外側に配置された両側延長部５２、５２を引き出したとき、折り返し部４１が内側本体部に近接する寸法とする。これにより、トートバッグの持ち手を持つ状態において、背負いベルトとして使用される第２帯状部が外側本体部に近接して配置され、邪魔にならず見栄えが良い。また、背負いベルトを使用するとき、両側延長部５２、５２が伸びて長すぎる状態にならず、トートバッグを良好に背負うことができる他、折り返し部４１、５１が内側本体部３０に近接して邪魔にならず見栄えが良い。
【産業上の利用可能性】
【００４０】
本発明に係るトートバッグは、簡単に変形させることでリュックサックとして使用でき、使用中に持ち手や背負いベルトが荷物の出し入れの邪魔になることなく、更に一方の紐を使用しているとき他が邪魔にならず、見栄えが良い。このため、産業上の利用可能性がある。
【符号の説明】
【００４１】
１：トートバッグ
１０：バッグ本体部
２０：外側本体部
２１：底部
２２：開口部
２３：筒状部
３０：内側本体部
３１：内側底部
３２：開口部
３３：内側筒状部
４０：第１帯状部
４１：折り返し部
４２：両側延長部
４３：先端部
５０：第２帯状部
５１：折り返し部
５２：両側延長部
５３：先端部
５５：パッド部材
６１：開口
６２：開口
６３：開口
６６：縫製加工
７０：帯状部材
【図１】
2018094140.tif 000003
【図２】
2018094140.tif 000004
【図３】
2018094140.tif 000005
【図４】
2018094140.tif 000006
【図５】
2018094140.tif 000007